(57)【要約】【課題】容器本体の着脱が容易な吐出容器を提供する。【解決手段】本発明の吐出容器の一つの態様は、容器本体（２０）と、吐出器（３０）と、ケース（１１）と、を備え、ケースは、容器本体に装着される内筒（４０）と、内筒の径方向外側に位置する外筒（７０）と、内筒の径方向外側に位置し、回転可能な回転筒（５０）と、を備え、回転筒と内筒とは、容器本体の容器軸方向において互いに相対移動可能であり、回転筒の回転に伴って外筒に対して内筒と容器本体と吐出器とが容器軸方向に相対移動して、吐出器がケースの内部に埋没する第１状態と、吐出器の上端部がケースよりも上方に突出し吐出孔がケースの外部に露出する第２状態と、が切り替えられ、内筒には、容器本体の外周面に接触する保持部（６２）が設けられ、保持部は、径方向内側向きに弾性力を加えて容器本体を保持し、容器本体および吐出器は、ケースに対して挿抜可能であることを特徴とする。【選択図】図１
2020019518.tif 000002
【特許請求の範囲】
【請求項１】
内容物が収容される有底筒状の容器本体と、
前記内容物が吐出される吐出孔が設けられ、前記容器本体の口部に装着された吐出器と、
上方に開口し、前記容器本体および前記吐出器を収納するケースと、
を備え、
前記吐出器は、上方付勢状態で下方移動可能なステムを有し、かつ、前記ステムが下方に移動されることにより、前記吐出孔から前記内容物を吐出し、
前記ケースは、
前記容器本体に装着される内筒と、
前記内筒の径方向外側に位置する外筒と、
前記内筒の径方向外側に位置し、回転可能な回転筒と、
を備え、
前記回転筒と前記内筒とは、前記容器本体の容器軸方向において互いに相対移動可能であり、
前記回転筒の回転に伴って前記外筒に対して前記内筒と前記容器本体と前記吐出器とが前記容器軸方向に相対移動して、前記吐出器が前記ケースの内部に埋没する第１状態と、前記吐出器の上端部が前記ケースよりも上方に突出し前記吐出孔が前記ケースの外部に露出する第２状態と、が切り替えられ、
前記内筒には、前記容器本体の外周面に接触する保持部が設けられ、
前記保持部は、径方向内側向きに弾性力を加えて前記容器本体を保持し、
前記容器本体および前記吐出器は、前記ケースに対して挿抜可能であることを特徴とする吐出容器。
【請求項２】
前記内筒には、前記内筒を外周面から内周面まで貫通する貫通部が形成され、
前記ケースは、前記内筒に装着される環状部材をさらに備え、
前記環状部材は、
前記内筒を囲む環状部材本体と、
前記環状部材本体から径方向内側に突出し、前記貫通部を通って前記容器本体の外周面と接触する前記保持部と、
前記環状部材本体から径方向外側に突出し、径方向外側の端部が前記回転筒の内周面に接触する接触部と、
を備えることを特徴とする請求項１に記載の吐出容器。
【請求項３】
前記回転筒と前記内筒とは、互いに相対回転が規制され、
前記外筒の内周面と前記内筒の外周面との一方には、螺旋状に延びる凹部が形成され、
前記外筒の内周面と前記内筒の外周面との他方には、前記凹部に挿入される凸部が形成され、
前記回転筒の回転に伴って前記凸部が前記凹部内を相対移動することにより、前記内筒は、前記外筒に対して前記容器軸方向に相対移動することを特徴とする請求項１または２に記載の吐出容器。
【請求項４】
前記凹部は、溝底面を有する溝であり、前記内筒の外周面に設けられていることを特徴とする請求項３に記載の吐出容器。
【請求項５】
前記凹部は、
凹部本体と、
前記凹部本体の周方向一方側に繋がる第１端部と、
前記凹部本体の周方向他方側に繋がり、前記第１端部よりも下方に位置する第２端部と、
を有し、
前記第１端部と前記凹部本体との連結部分の内側面には、突起部が形成されており、
前記凸部が前記第１端部に位置する場合に、前記第１状態となることを特徴とする請求項３または４に記載の吐出容器。
【請求項６】
前記内筒には、前記内筒の壁部を径方向に貫通する貫通孔が周方向に沿って複数形成され、
周方向に隣り合う前記貫通孔同士の間の部分である柱部からは、腕部が周方向に突出しており、
前記保持部は、前記腕部の先端部から径方向内側に突出することを特徴とする請求項１に記載の吐出容器。
【発明の詳細な説明】
【技術分野】
【０００１】
本発明は、吐出容器に関する。
【背景技術】
【０００２】
ケースに容器本体および吐出器が収容され、ケースを回転させることで、吐出器がケースの内部に収容された状態と、吐出器の上端部がケースの外部に露出した状態とを切り替え可能な吐出容器が知られている。例えば、特許文献１には、容器本体としての噴霧容器に設けられた係合子がケースの内周面に設けられた螺条に係合された構成が記載されている。
【先行技術文献】
【特許文献】
【０００３】
【特許文献１】実公昭５５−４７１９７号公報
【発明の概要】
【発明が解決しようとする課題】
【０００４】
しかし、上記のような構成においては、係合子が螺条に係合しているため、噴霧容器（容器本体）をケースから取り出すことが困難である。したがって、噴霧容器内の内容物が無くなった場合等に、噴霧容器を入れ替える、あるいは噴霧容器内に内容物を再度充填する等の作業が困難な場合があった。
【０００５】
本発明の一つの態様は、上記事情に鑑みて、ケースを回転させることで、吐出器がケースの内部に収容された状態と、吐出器の上端部がケースの外部に露出した状態とを切り替え可能な吐出容器であって、容器本体の着脱が容易な吐出容器を提供することを目的の一つとする。
【課題を解決するための手段】
【０００６】
本発明の吐出容器の一つの態様は、内容物が収容される有底筒状の容器本体と、前記内容物が吐出される吐出孔が設けられ、前記容器本体の口部に装着された吐出器と、上方に開口し、前記容器本体および前記吐出器を収納するケースと、を備え、前記吐出器は、上方付勢状態で下方移動可能なステムを有し、かつ、前記ステムが下方に移動されることにより、前記吐出孔から前記内容物を吐出し、前記ケースは、前記容器本体に装着される内筒と、前記内筒の径方向外側に位置する外筒と、前記内筒の径方向外側に位置し、回転可能な回転筒と、を備え、前記回転筒と前記内筒とは、前記容器本体の容器軸方向において互いに相対移動可能であり、前記回転筒の回転に伴って前記外筒に対して前記内筒と前記容器本体と前記吐出器とが前記容器軸方向に相対移動して、前記吐出器が前記ケースの内部に埋没する第１状態と、前記吐出器の上端部が前記ケースよりも上方に突出し前記吐出孔が前記ケースの外部に露出する第２状態と、が切り替えられ、前記内筒には、前記容器本体の外周面に接触する保持部が設けられ、前記保持部は、径方向内側向きに弾性力を加えて前記容器本体を保持し、前記容器本体および前記吐出器は、前記ケースに対して挿抜可能であることを特徴とする。
【０００７】
本発明の吐出容器の一つの態様によれば、容器本体の外周面に保持部を接触させることで径方向内側向きに弾性力を加えて容器本体をケース内に保持しており、容器本体および吐出器をケースから挿抜可能である。そのため、容器本体および吐出器を上方に引張することで、容易に容器本体および吐出器をケースから取り出すことができる。また、容器本体および吐出器をケースの上方開口から挿入することで、容易に容器本体および吐出器をケース内に保持させることができる。したがって、本発明の吐出容器の一つの態様によれば、ケースを回転させることで、吐出器がケースの内部に収容された状態と、吐出器の上端部がケースの外部に露出した状態とを切り替え可能な吐出容器であって、容器本体の着脱が容易な吐出容器が得られる。これにより、容器本体内の内容物を使い切った後に、容器本体をケースから外して、内容物が充填された新たな容器本体と入れ替える、または容器本体に内容物を再充填することが容易である。
また、本発明の吐出容器の一つの態様によれば、吐出容器を、吐出器がケース内に埋没した第１状態としておくことにより、吐出器のステムが不意に押されて内容物が吐出されることを抑制できる。
【０００８】
前記内筒には、前記内筒を外周面から内周面まで貫通する貫通部が形成され、前記ケースは、前記内筒に装着される環状部材をさらに備え、前記環状部材は、前記内筒を囲む環状部材本体と、前記環状部材本体から径方向内側に突出し、前記貫通部を通って前記容器本体の外周面と接触する前記保持部と、前記環状部材本体から径方向外側に突出し、径方向外側の端部が前記回転筒の内周面に接触する接触部と、を備える構成としてもよい。
【０００９】
この構成によれば、内筒が回転筒に対して上下方向に移動する際に、接触部が回転筒の内周面に擦れる。これにより、回転筒を回転させる使用者には、適度な摺動抵抗が伝わる。したがって、吐出容器の状態を切り替える際の操作において、使用者に高級感を与えることができる。
【００１０】
前記回転筒と前記内筒とは、互いに相対回転が規制され、前記外筒の内周面と前記内筒の外周面との一方には、螺旋状に延びる凹部が形成され、前記外筒の内周面と前記内筒の外周面との他方には、前記凹部に挿入される凸部が形成され、前記回転筒の回転に伴って前記凸部が前記凹部内を相対移動することにより、前記内筒は、前記外筒に対して前記容器軸方向に相対移動する構成としてもよい。
この構成によれば、回転筒を回転させることで、容易に内筒を上下方向に相対移動させることができる。したがって、吐出容器の状態の切り替えが容易である。
【００１１】
前記凹部は、溝底面を有する溝であり、前記内筒の外周面に設けられている構成としてもよい。
この構成によれば、凹部が内筒の壁部を貫通するような場合に比べて、内筒の強度が低下することを抑制できる。これにより、吐出容器の状態を切り替える際に、内筒および凹部が歪むことを抑制でき、凸部を凹部に沿って滑らかに相対移動させることができる。したがって、吐出容器の状態を滑らかに切り替えやすい。
【００１２】
前記凹部は、凹部本体と、前記凹部本体の周方向一方側に繋がる第１端部と、前記凹部本体の周方向他方側に繋がり、前記第１端部よりも下方に位置する第２端部と、を有し、前記第１端部と前記凹部本体との連結部分の内側面には、突起部が形成されており、前記凸部が前記第１端部に位置する場合に、前記第１状態となる構成としてもよい。
この構成によれば、使用者が吐出容器を第２状態から第１状態にする場合において、凸部は、突起部を乗り越えることで、凹部本体から第１端部に移動する。これにより、吐出容器を第１状態にした際に、使用者には、凸部が突起部を乗り越えることによるクリック感が伝達される。したがって、使用者は、吐出容器が第１状態になったことを触感から認識することができ、吐出容器が第１状態になったことを認識しやすい。また、第１状態から第２状態へと切り替える際には、凸部が突起部を乗り越える必要がある。そのため、凸部が突起部に引っ掛かり、使用者による回転操作によらず不意に回転筒が回転することを抑制することができる。これにより、意図せず吐出容器が、吐出孔が露出する第２状態となることを抑制でき、不意な内容物の吐出を抑制できる。
【００１３】
前記内筒には、前記内筒の壁部を径方向に貫通する貫通孔が周方向に沿って複数形成され、周方向に隣り合う前記貫通孔同士の間の部分である柱部からは、腕部が周方向に突出しており、前記保持部は、前記腕部の先端部から径方向内側に突出する構成としてもよい。
この構成によれば、環状部材が設けられず、保持部が内筒に一体成形されている。そのため、吐出容器の部品点数を低減することができ、吐出容器の製造コストを低減できる。
【発明の効果】
【００１４】
本発明の一つの態様によれば、ケースを回転させることで、吐出器がケースの内部に収容された状態と、吐出器の上端部がケースの外部に露出した状態とを切り替え可能な吐出容器であって、容器本体の着脱が容易な吐出容器が提供される。
【図面の簡単な説明】
【００１５】
【図１】図１は、第１実施形態の吐出容器を示す部分断面図である。
【図２】図２は、第１実施形態の吐出容器を示す断面図であって、図１におけるII−II断面図である。
【図３】図３は、第１実施形態の吐出容器を示す断面図であって、図１におけるIII−III断面図である。
【図４】図４は、第１実施形態の内筒を示す部分断面図である。
【図５】図５は、第１実施形態の吐出容器を示す部分断面図である。
【図６】図６は、第１実施形態の吐出容器を示す部分断面図である。
【図７】図７は、第１実施形態の吐出容器に用いられる交換用のリフィルを示す部分断面図である。
【図８】図８は、第２実施形態の吐出容器を示す部分断面図である。
【図９】図９は、第２実施形態の内筒を示す部分断面図である。
【図１０】図１０は、第２実施形態の吐出容器を示す断面図であって、図８におけるX−X断面図である。
【図１１】図１１は、第２実施形態の吐出容器を示す断面図であって、図８におけるXI−XI断面図である。
【発明を実施するための形態】
【００１６】
以下、図面を参照しながら、本発明の実施形態に係る吐出容器について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１７】
＜第１実施形態＞
図１に示すように、本実施形態の吐出容器１０は、内容物が収容される有底筒状の容器本体２０と、内容物が吐出される吐出孔３７ａが設けられ、容器本体２０の口部２４に装着された吐出器３０と、容器本体２０および吐出器３０を収容するケース１１と、を備えている。容器本体２０に収容される内容物は、特に限定されないが、例えば化粧品、香料等の液体である。
【００１８】
ここで本実施形態では、容器本体２０、吐出器３０、およびケース１１の各中心軸は、共通の軸線上に配置されている。以下、この共通の軸線を容器本体２０の容器軸Ｏといい、容器軸Ｏに沿う容器軸方向を上下方向という。また、上下方向に沿う容器本体２０の底部２２側（−Ｚ側）を下方といい、口部２４側（＋Ｚ側）を上方という。上下方向から見た平面視において、容器軸Ｏに交差する方向を径方向といい、容器軸Ｏ回りに周回する方向を周方向という。
【００１９】
容器本体２０は、底部２２、胴部２１、肩部２３、および口部２４が、下方から上方に向けてこの順に連設されている。口部２４の外周面には、雄ネジ部が形成されている。容器本体２０の外径は、胴部２１において最も大きくなる。胴部２１の外径は、上下方向の全体に亘って均一である。容器本体２０の材質は、特に限定されない。本実施形態において容器本体２０の材質は、例えば、ガラスである。なお、容器本体２０は、合成樹脂材料を材質とし、例えばブロー成形などにより一体に形成されてもよい。
【００２０】
吐出器３０は、シリンダ３１と、ピストン３２と、装着筒部３３と、ガイド筒部３４と、ステム３５と、頭部３６と、ノズル３７と、付勢部材３８と、吸引筒３９と、を備えている。
シリンダ３１は、容器軸Ｏと同軸に配置され、上下方向に延びる多段の円筒状である。シリンダ３１の外径および内径は、下方に向かうに従って段階的に小さくなる。シリンダ３１は、上下方向の両側に開口している。シリンダ３１は、容器本体２０の内部に挿入されている。
ピストン３２は、シリンダ３１の内部に上下方向に摺動自在に配置されている。ピストン３２は、容器軸Ｏと同軸に配置され、上下方向に延びる円柱状である。ピストン３２の上側部分は、シリンダ３１よりも上方に突出している。
【００２１】
装着筒部３３は、シリンダ３１の上端部に繋がっている。装着筒部３３は、シリンダ３１の上端部から径方向外側に拡がるフランジ部３３ａと、フランジ部３３ａの径方向外縁部から下方に延びる装着筒部本体３３ｂと、を備えている。装着筒部本体３３ｂは、容器軸Ｏと同軸に配置された円筒状である。装着筒部本体３３ｂは、下方に開口している。装着筒部本体３３ｂの内周面には、雌ネジ部が形成されている。装着筒部本体３３ｂの雌ネジ部は、容器本体２０の口部２４に形成された雄ネジ部と螺合されている。これにより、装着筒部３３は、口部２４に固定され、吐出器３０は、容器本体２０に固定されている。
【００２２】
ガイド筒部３４は、フランジ部３３ａから上方に突出している。ガイド筒部３４は、容器軸Ｏと同軸に配置された円筒状である。ガイド筒部３４は、上方に開口している。ガイド筒部３４は、装着筒部本体３３ｂよりも径方向内側に位置している。ガイド筒部３４の上端部における内周面には、径方向内側に突出する係合突起が形成されている。
本実施形態においてシリンダ３１と装着筒部３３とガイド筒部３４とは、一体に形成されている。
【００２３】
ステム３５は、上方付勢状態で下方移動可能である。本実施形態においてステム３５は、付勢部材３８によって上方付勢状態とされている。ステム３５は、第１ステム部材３５ａと、第２ステム部材３５ｂと、第３ステム部材３５ｃと、を備えている。
第１ステム部材３５ａは、容器軸Ｏと同軸に配置され、上下方向に延びる円筒状である。第１ステム部材３５ａは、ピストン３２の上側部分の径方向外側に位置している。第１ステム部材３５ａは、ピストン３２の外周面と連結されている。本実施形態において第１ステム部材３５ａは、ピストン３２と一体に形成されている。
第２ステム部材３５ｂは、容器軸Ｏと同軸に配置され、上下方向に延びる円筒状である。第２ステム部材３５ｂは、第１ステム部材３５ａの径方向外側に位置している。第２ステム部材３５ｂの下側部分は、シリンダ３１の内部に挿入されている。図示は省略するが、第２ステム部材３５ｂの下側部分は、シリンダ３１とピストン３２との径方向の間に位置している。
【００２４】
第３ステム部材３５ｃは、第１ステム部材３５ａの上方に位置する天板部３５ｄと、天板部３５ｄの径方向外縁部から下方に突出する筒部３５ｅと、を備えている。
天板部３５ｄは、容器軸Ｏと同軸に配置された円環板状である。天板部３５ｄの径方向内側は、ピストン３２の上端部によって開放可能に閉塞されている。
筒部３５ｅは、第１ステム部材３５ａと第２ステム部材３５ｂとの径方向の間に位置している。筒部３５ｅは、第２ステム部材３５ｂの径方向内側に嵌合されている。筒部３５ｅの内周面には、第１ステム部材３５ａが上下方向に摺動自在に接触している。
なお、本明細書において「ステム」とは、上方付勢状態で下方移動可能であり、かつ、下方に移動されることにより、吐出孔から内容物を吐出させることが可能な構造を有する部分である。
【００２５】
頭部３６は、ステム３５の上方に固定されている。頭部３６は、頭部本体３６ａと、頭部カバー３６ｂと、を備えている。
頭部本体３６ａは、頂壁部３６ｃと、摺動筒部３６ｄと、周壁部３６ｅと、を備えている。
頂壁部３６ｃは、ステム３５の上方を覆っている。図示は省略するが、頂壁部３６ｃは、上方から見て、容器軸Ｏと同軸に配置された円形状である。頂壁部３６ｃには、頂壁部３６ｃの外周面から径方向内側に窪むノズル収容部３６ｆが形成されている。ノズル収容部３６ｆの径方向内側の端部は、天板部３５ｄの径方向内側を介して、ステム３５の内部およびシリンダ３１の内部と連通可能である。
【００２６】
摺動筒部３６ｄは、頂壁部３６ｃから下方に突出している。摺動筒部３６ｄは、下方に開口し、容器軸Ｏと同軸に配置された円筒状である。摺動筒部３６ｄは、ガイド筒部３４の径方向内側に嵌合されている。摺動筒部３６ｄは、ガイド筒部３４に対して、上下方向に摺動可能である。摺動筒部３６ｄの下端部の外周面には、径方向外側に突出する係合突起が形成されている。摺動筒部３６ｄの係合突起は、ガイド筒部３４の係合突起に対して下方から係合している。これにより、付勢部材３８によって上方付勢状態であっても、ステム３５および頭部３６が装着筒部３３から上方に抜けることが規制されている。
【００２７】
周壁部３６ｅは、頂壁部３６ｃの径方向外縁部から下方に突出している。周壁部３６ｅは、摺動筒部３６ｄの径方向外側に位置している。
頭部カバー３６ｂは、下方に開口する有蓋の筒状である。頭部カバー３６ｂは、容器軸Ｏと同軸に配置されている。頭部カバー３６ｂは、頭部本体３６ａに外嵌されて固定されている。頭部カバー３６ｂは、頭部本体３６ａの上面と、ノズル収容部３６ｆが開口する部分を除いた頭部本体３６ａの外周面と、を覆っている。
【００２８】
ノズル３７は、ノズル収容部３６ｆに収容されている。ノズル３７は、径方向に延びる筒状であり、径方向外側に底部を有する。ノズル３７は、ノズル収容部３６ｆに嵌合されて固定されている。ノズル３７の底部の中央には、ノズル３７の底部を径方向に貫通する吐出孔３７ａが形成されている。
付勢部材３８は、上下方向に延びるコイルスプリングである。付勢部材３８は、シリンダ３１の内部に収容されている。付勢部材３８の径方向内側には、ピストン３２が通されている。付勢部材３８は、上端部がピストン３２と第１ステム部材３５ａとの連結部に接触しており、第１ステム部材３５ａに上方向きの弾性力を加えている。これにより、付勢部材３８によって、ステム３５が上方に付勢された状態となる。
吸引筒３９は、上端部がシリンダ３１の下端部内に嵌入されている。吸引筒３９は、シリンダ３１から下方に突出している。吸引筒３９は、両端が開口している。吸引筒３９の下端部は、内容物に浸漬されている。
【００２９】
吐出器３０は、ステム３５が下方に移動されることにより、吐出孔３７ａから内容物を吐出する。本実施形態において吐出器３０は、例えば、蓄圧式の吐出器である。より具体的には、頭部３６を介してステム３５が下方に移動されると、吐出器３０内の圧力の変動により、ピストン３２が天板部３５ｄの径方向内側を開放する。これにより、吸引筒３９、シリンダ３１、およびステム３５を通って内容物がノズル収容部３６ｆまで流入し、吐出孔３７ａから吐出される。
【００３０】
ケース１１は、上方に開口する有底の円筒状である。ケース１１は、内筒４０と、環状部材６０と、回転筒５０と、外筒７０と、下カバー８１と、上カバー８２と、を備えている。
内筒４０は、上方に開口する有底筒状である。内筒４０は、容器軸Ｏと同軸に配置され、上下方向に延びる円筒状である。内筒４０は、容器本体２０の径方向外側に位置している。内筒４０は、容器本体２０に装着されている。内筒４０は、内筒本体４１と、底部４４と、支持突起４５と、を備えている。内筒本体４１は、小径部４２と、大径部４３と、を備えている。
【００３１】
小径部４２は、内筒本体４１の下側部分である。小径部４２の下端部は、内筒本体４１の下端部である。小径部４２には、図２および図３に示すように、周方向に沿って複数のスリット（貫通部）４２ａが形成されている。複数のスリット４２ａは、周方向に沿って一周に亘って等間隔に配置されている。スリット４２ａは、例えば、４つ形成されている。スリット４２ａは、小径部４２の外周面から小径部４２の内周面までを貫通している。すなわち、本実施形態においてスリット４２ａは、内筒４０を外周面から内周面まで貫通する貫通部である。図４に示すように、スリット４２ａは、上下方向に延びている。スリット４２ａは、小径部４２の下端部から上端部まで延びている。スリット４２ａは、底部４４を上下方向に貫通し、底部４４の下方に開口している。図２および図３に示すように、スリット４２ａの周方向の寸法は、小径部４２の外周面から小径部４２の内周面まで径方向内側に向かうに従って小さくなっている。
【００３２】
大径部４３は、図４に示すように、内筒本体４１の上側部分である。大径部４３の上端部は、内筒本体４１の上端部である。大径部４３は、小径部４２の上方に繋がっている。大径部４３の外径は、小径部４２の外径よりも大きい。本実施形態において大径部４３の上下方向の寸法は、小径部４２の上下方向の寸法よりも小さい。
大径部４３の外周面には、螺旋状に延びる凹部４６が形成されている。本実施形態において凹部４６は、径方向内側に溝底面を有する溝である。すなわち、凹部４６は、大径部４３の壁部を径方向に貫通していない。図示は省略するが、凹部４６は、容器軸Ｏを挟んで一対設けられている。なお、凹部４６は、大径部４３の壁部を径方向に貫通していてもよい。
【００３３】
凹部４６は、凹部本体４６ａと、第１端部４６ｂと、第２端部４６ｃと、を有している。
凹部本体４６ａは、周方向一方側に向かうに従って上方に位置する螺旋状である。径方向外側から見て、凹部本体４６ａは、上下方向に対して斜めに傾く直線状である。
第１端部４６ｂは、凹部本体４６ａの周方向一方側に繋がる。第１端部４６ｂは、凹部本体４６ａの周方向一方側の端部から周方向一方側に突出している。第１端部４６ｂは、大径部４３の上方に開口する開口部４６ｄを有している。第２端部４６ｃは、凹部本体４６ａの周方向他方側に繋がる。第２端部４６ｃは、凹部本体４６ａの周方向他方側の端部から周方向他方側に突出している。第２端部４６ｃは、第１端部４６ｂよりも下方に位置している。第１端部４６ｂと第２端部４６ｃとは、周方向に沿って９０°間隔を空けて配置されている。
なお、本実施形態において周方向一方側とは、上方から見て容器軸Ｏを中心として反時計回りに進む側であり、周方向他方側とは、上方から見て容器軸Ｏを中心として時計回りに進む側である。
【００３４】
第１端部４６ｂと凹部本体４６ａとの連結部分の内側面には、突起部４７が形成されている。本明細書において、第１端部４６ｂと凹部本体４６ａとの連結部分とは、第１端部４６ｂと凹部本体４６ａとの厳密な境界部分と、第１端部４６ｂのうち凹部本体４６ａ側の端部と、凹部本体４６ａのうち第１端部４６ｂ側の端部と、を含む。本実施形態において突起部４７は、第１端部４６ｂの内側面のうち下側の面における凹部本体４６ａ側の端部に形成されており、上方に向けて突出している。
【００３５】
底部４４は、内筒本体４１の下端部に設けられている。底部４４は、図１に示すように、容器本体２０の下方を覆っている。内筒４０の底部４４と容器本体２０の底部２２との上下方向の間には、隙間が設けられている。
支持突起４５は、小径部４２の外周面から径方向外側に突出している。図４に示すように、支持突起４５は、周方向に沿って複数設けられている。支持突起４５は、大径部４３から下方に離れて配置されている。支持突起４５の径方向外端部は、大径部４３の外周面よりも径方向内側に位置している。
【００３６】
環状部材６０は、内筒４０に装着されている。図３に示すように、環状部材６０は、容器軸Ｏと同軸に配置された円環状である。環状部材６０は、弾性部材である。環状部材６０の材質は、例えば、ゴム等のエラストマーである。環状部材６０は、環状部材本体６１と、保持部６２と、接触部６３と、を備えている。
環状部材本体６１は、上下方向両側に開口する円筒状である。環状部材本体６１は、内筒４０を囲んでいる。図５に示すように、本実施形態において環状部材本体６１は、小径部４２の上端部を囲んでいる。環状部材本体６１の下端部は、支持突起４５によって下方から支持されている。環状部材本体６１の上端部は、大径部４３の下端面と接触している。これにより、環状部材６０は、支持突起４５と大径部４３とに挟持されて、内筒４０に保持されている。
【００３７】
保持部６２は、環状部材本体６１の内周面から径方向内側に突出している。図５に示すように、保持部６２は、上下方向に延びている。保持部６２の上端部は、環状部材本体６１の上端部と上下方向において同じ位置に配置されている。保持部６２の下端部は、環状部材本体６１の下端部よりも上方に配置されている。本実施形態においては、環状部材６０が内筒４０に装着されることで、保持部６２は、内筒４０に設けられている。
【００３８】
保持部６２は、図３に示すように、基部６２ａと、保持部本体６２ｂと、を備えている。
基部６２ａは、環状部材本体６１の内周面に繋がる部分である。基部６２ａは、スリット４２ａの内部に嵌合されている。これにより、環状部材６０が内筒４０に対して周方向に相対回転することが規制されている。
保持部本体６２ｂは、基部６２ａの周方向の中央から径方向内側に突出している。保持部本体６２ｂの周方向の寸法は、基部６２ａの周方向の寸法よりも小さい。保持部本体６２ｂは、スリット４２ａを介して内筒４０の内周面よりも径方向内側に突出している。保持部本体６２ｂの径方向内側の端部は、容器本体２０における胴部２１の外周面と接触している。すなわち、保持部６２は、スリット４２ａを通って容器本体２０の外周面と接触している。保持部本体６２ｂは、容器本体２０と接触した状態において径方向に圧縮弾性変形している。
【００３９】
本実施形態において保持部６２は、周方向に沿って複数設けられている。複数の保持部６２は、周方向に沿って一周に亘って等間隔に配置されている。保持部６２は、例えば、４つ設けられている。４つの保持部６２は、容器本体２０を囲んでいる。本実施形態では、容器本体２０を囲む４つの保持部６２の保持部本体６２ｂがそれぞれ圧縮弾性変形して保持部６２に対して径方向内側向きの弾性力を加えている。これにより、保持部６２は、径方向内側向きに弾性力を加えて容器本体２０を保持している。
【００４０】
接触部６３は、図５に示すように、環状部材本体６１の下端部から径方向外側に突出している。接触部６３は、径方向外側の端部が回転筒５０の内周面に接触する。図３に示すように、接触部６３は、周方向に延びている。本実施形態において接触部６３は、周方向に沿って複数設けられている。複数の接触部６３は、周方向に沿って一周に亘って等間隔に配置されている。接触部６３は、例えば、４つ設けられている。４つの接触部６３の周方向位置は、４つの保持部６２の周方向位置とそれぞれ同じである。
【００４１】
回転筒５０は、図１に示すように、容器軸Ｏと同軸に配置される有底の円筒状である。回転筒５０は、内筒４０の径方向外側に位置している。回転筒５０の内部には、内筒４０が挿入されている。回転筒５０は、回転可能に配置されている。回転筒５０は、回転筒本体５１と、底部５２と、固定部５３と、嵌合部５４と、を備えている。
回転筒本体５１は、容器軸Ｏと同軸に配置される円筒状である。回転筒本体５１の内周面は、環状部材本体６１の外周面よりも径方向外側に離れて位置している。回転筒本体５１の上端部は、内筒本体４１の上端部よりも下方に位置している。
【００４２】
底部５２は、回転筒本体５１の下端部に設けられている。底部５２は、内筒４０の下方を覆っている。回転筒５０の底部５２と内筒４０の底部４４との上下方向の間には、隙間が設けられている。
固定部５３は、回転筒本体５１の外周面から径方向外側に突出している。固定部５３は、下カバー８１の内周面に固定されている。
【００４３】
嵌合部５４は、回転筒本体５１の内周面から径方向内側に突出している。図２に示すように、嵌合部５４は、一対の嵌合リブ５４ａ，５４ｂを備えている。一対の嵌合リブ５４ａ，５４ｂは、周方向に隙間を介して対向している。図１および図２に示すように、嵌合リブ５４ａは、板面が周方向を向く板状であり、上下方向に延びている。嵌合リブ５４ａの下端部は、底部５２に繋がっている。嵌合リブ５４ａの上端部は、支持突起４５の下端部と上下方向において同じ位置に配置されている。図示は省略するが、嵌合リブ５４ｂの形状は、嵌合リブ５４ａの形状と同様である。
【００４４】
図２に示すように、嵌合部５４は、周方向に沿って複数設けられている。複数の嵌合部５４は、周方向に沿って一周に亘って等間隔に配置されている。嵌合部５４は、例えば、４つ設けられている。複数の嵌合部５４のそれぞれは、複数のスリット４２ａのそれぞれに嵌合されている。嵌合リブ５４ａは、スリット４２ａの内側面のうち周方向一方側の側面と接触している。嵌合リブ５４ｂは、スリット４２ａの内側面のうち周方向他方側の側面と接触している。これにより、嵌合部５４がスリット４２ａの周方向側面に引っ掛かり、回転筒５０と内筒４０とは、互いに相対回転が規制される。したがって、回転筒５０が回転するのに伴って、内筒４０も回転する。回転筒５０と内筒４０とは、上下方向において互いに相対移動可能である。
【００４５】
外筒７０は、図１に示すように、容器軸Ｏと同軸に配置される円筒状である。外筒７０は、上下方向両側に開口している。外筒７０は、回転筒５０の上方に位置している。外筒７０は、内筒４０の径方向外側に位置している。外筒７０は、下筒部７１と、突出円環部７２と、上筒部７３と、凸部７４と、を備えている。
下筒部７１は、外筒７０の下側部分である。下筒部７１の下端部は、外筒７０の下端部である。下筒部７１の下側部分は、回転筒本体５１に外嵌されている。下筒部７１と回転筒本体５１とは、アンダーカット嵌合されている。これにより、回転筒５０と外筒７０とは、互いに相対回転可能に上下方向に連結されている。
【００４６】
下筒部７１の内周面の下側部分には、径方向外側に窪む段差部７１ａが形成されている。これにより、下筒部７１の内径は、下側部分において大きくなっている。段差部７１ａにおける下方を向く段差面には、回転筒本体５１の上端部が接触している。下筒部７１の下端部は、回転筒５０の固定部５３の上方に対向して配置されている。
突出円環部７２は、下筒部７１の上端部から径方向内側に突出している。突出円環部７２は、容器軸Ｏと同軸に配置された円環状である。突出円環部７２の内径は、容器本体２０の外径よりも大きい。本実施形態において突出円環部７２の内径は、容器本体２０の外径とほぼ同じである。突出円環部７２の径方向内側の端部における上方には、吐出器３０の頭部３６における周壁部３６ｅが位置している。
【００４７】
上筒部７３は、外筒７０の上側部分である。上筒部７３の上端部は、外筒７０の上端部である。上筒部７３は、突出円環部７２から上方に延びている。上筒部７３は、突出円環部７２の径方向内側の端部よりも径方向外側で、下筒部７１よりも径方向内側に位置している。上筒部７３の外径は、下筒部７１の外径よりも小さい。上筒部７３の内径は、下筒部７１の内径よりも小さい。上筒部７３の内径は、吐出器３０の頭部３６の外径よりも大きい。本実施形態において上筒部７３の内径は、吐出器３０の頭部３６の外径とほぼ同じである。上筒部７３の径方向の厚さは、下筒部７１の径方向の厚さよりも小さい。上筒部７３の上下方向の寸法は、下筒部７１の上下方向の寸法よりも小さい。
【００４８】
凸部７４は、下筒部７１の内周面から径方向内側に突出している。凸部７４は、段差部７１ａよりも上方に位置している。凸部７４の径方向内側の端部は、突出円環部７２の径方向内側の端部よりも径方向外側に位置している。図示は省略するが、凸部７４は、容器軸Ｏを挟んで一対設けられる。一対の凸部７４は、一対の凹部４６のそれぞれに挿入されている。回転筒５０の回転に伴って内筒４０が回転すると、凸部７４は、螺旋状に延びる凹部４６に沿って凹部４６内を相対移動する。
【００４９】
下カバー８１は、容器軸Ｏと同軸に配置される有底の円筒状である。下カバー８１は、上方に開口している。下カバー８１は、回転筒５０の径方向外側に位置し、回転筒５０を収容している。下カバー８１の内周面における上端部は、回転筒５０の固定部５３の外周面と固定されている。これにより、下カバー８１は、回転筒５０と固定されている。したがって、下カバー８１を回転させることで、回転筒５０を回転させることができる。
【００５０】
上カバー８２は、外筒７０の径方向外側に位置し、外筒７０を収容している。上カバー８２は、上下方向両側に開口している。上カバー８２は、上カバー本体８２ａと、円環板部８２ｂと、を備えている。
上カバー本体８２ａは、容器軸Ｏと同軸に配置された円筒状である。上カバー本体８２ａは、外筒７０の下筒部７１に外嵌されて固定されている。
円環板部８２ｂは、上カバー本体８２ａの上端部から径方向内側に突出している。円環板部８２ｂは、容器軸Ｏと同軸に配置された円環板状である。円環板部８２ｂは、外筒７０の上筒部７３の上方を覆っている。円環板部８２ｂの内径は、上筒部７３の内径と同じである。
【００５１】
容器本体２０および吐出器３０は、ケース１１に対して挿抜可能である。より具体的には、容器本体２０および吐出器３０は、容器本体２０の外周面に接触する保持部６２によってのみケース１１内に保持されており、容器本体２０の各部および吐出器３０の各部がそれぞれ収容されるケース１１の部分からケース１１の上端部までの間において、ケース１１の内径は、各部の外径とほぼ同じ、または大きい。そのため、保持部６２から加えられる弾性力によって生じる容器本体２０と保持部６２との間の摩擦力に抗して、容器本体２０を上方に引き抜くことで、容器本体２０をケース１１の内部から引き抜くことが可能である。また、同様に、容器本体２０および吐出器３０をケース１１の上方開口から挿入することで、ケース１１内に容器本体２０を配置することも可能である。
【００５２】
吐出容器１０を使用する使用者は、吐出容器１０を非使用状態（第１状態）と使用状態（第２状態）とに切り替えることができる。非使用状態は、吐出容器１０から内容物を吐出させることができない状態である。使用状態は、吐出容器１０から内容物を吐出させることが可能な状態である。図１は、非使用状態である場合の吐出容器１０を示している。図５および図６は、使用状態である場合の吐出容器１０を示している。なお、本実施形態において非使用状態は、第１状態に相当し、使用状態は、第２状態に相当する。
【００５３】
図１に示すように、吐出容器１０が非使用状態である場合、吐出器３０は、ケース１１の内部に埋没した状態となっている。吐出器３０の頭部３６は、外筒７０の上筒部７３の径方向内側に収容されている。非使用状態において、頭部３６の上面は、上カバー８２の上面と上下方向において同じ位置に配置されている。非使用状態において、凸部７４は、凹部４６のうち第１端部４６ｂに位置している。すなわち、凸部７４が第１端部４６ｂに位置する場合に、吐出容器１０は、吐出器３０がケース１１の内部に埋没する状態となる。非使用状態において、吐出器３０の頭部３６における周壁部３６ｅの下端部は、突出円環部７２の径方向内側の端部における上面に接触している。
【００５４】
一方、図５および図６に示すように、吐出容器１０が使用状態である場合、吐出器３０の上端部はケース１１よりも上方に突出している。本実施形態の使用状態においては、吐出器３０の頭部３６のほぼ全体がケース１１よりも上方に突出している。使用状態においては、吐出孔３７ａは、ケース１１の外部に露出している。
使用状態において使用者は、図６に示すように、吐出器３０の頭部３６を下方に押圧して、ステム３５を下方に移動させることにより、吐出孔３７ａから内容物を吐出させることができる。なお、この際、例えば、容器本体２０が下方に押されることによって、容器本体２０の底部２２が内筒４０の底部４４と接触する。このとき、保持部６２は、例えば、上下方向にせん断変形した状態となっている。
【００５５】
使用者は、下カバー８１を介して回転筒５０を容器軸Ｏ回りに回転させることで、吐出容器１０を非使用状態と使用状態との間で切り替えることができる。以下、詳細に説明する。
図１に示す非使用状態から、下カバー８１を介して回転筒５０を上方から見て反時計回りに回転させると、回転筒５０と共に内筒４０が回転し、凸部７４は、凹部４６内を第１端部４６ｂから第２端部４６ｃへと向かう向きに相対移動する。これにより、外筒７０に対して内筒４０が上方に押し上げられ、内筒４０に装着された容器本体２０および容器本体２０に装着された吐出器３０も上方に押し上げられる。そして、凸部７４が第２端部４６ｃまで到達すると、吐出容器１０は、図５に示す使用状態となる。
【００５６】
一方、使用状態から、下カバー８１を介して回転筒５０を上方から見て時計回りに回転させると、回転筒５０と共に内筒４０が回転し、凸部７４は、凹部４６内を第２端部４６ｃから第１端部４６ｂへと向かう向きに相対移動する。これにより、内筒４０と容器本体２０と吐出器３０とが下方へと移動され、吐出容器１０を再び非使用状態にすることができる。
このように、吐出容器１０においては、回転筒５０の回転に伴って凸部７４が凹部４６を相対移動することにより、外筒７０に対して内筒４０と容器本体２０と吐出器３０とが上下方向に相対移動して、非使用状態と、使用状態とが、切り替えられる。
【００５７】
本実施形態によれば、容器本体２０の外周面に保持部６２を接触させることで径方向内側向きに弾性力を加えて容器本体２０をケース１１内に保持しており、容器本体２０および吐出器３０をケース１１から挿抜可能である。そのため、容器本体２０および吐出器３０を上方に引張することで、容易に容器本体２０および吐出器３０をケース１１から取り出すことができる。このとき、吐出容器１０の状態は使用状態であり、使用者は、頭部３６を手指等で摘まむことにより、容器本体２０および吐出器３０を上方に引張する。また、容器本体２０および吐出器３０をケース１１の上方開口から挿入することで、容易に容器本体２０および吐出器３０をケース１１内に保持させることができる。したがって、本実施形態によれば、ケース１１を回転させることで、吐出器３０がケース１１の内部に収容された非使用状態と、吐出器３０の上端部がケース１１の外部に露出した使用状態とを切り替え可能な吐出容器であって、容器本体２０の着脱が容易な吐出容器１０が得られる。これにより、容器本体２０内の内容物を使い切った後に、容器本体２０をケース１１から外して、内容物が充填された新たな容器本体２０と入れ替える、または容器本体２０に内容物を再充填することが容易である。
【００５８】
本実施形態では、例えば、図７に示すようなリフィル１００をケース１１に差し込むことで、容器本体２０を交換することができる。リフィル１００は、容器本体２０と、吐出器３０と、ストッパ９０と、を備えている。ストッパ９０は、頭部３６と装着筒部３３のフランジ部３３ａとの間に挟まれている。ストッパ９０により、頭部３６が容器本体２０に対して下方に移動することを規制できる。これにより、リフィル１００の流通時に頭部３６が押されて内容物が吐出されることが抑制される。使用者は、リフィル１００からストッパ９０を取り外した後に、容器本体２０の底部２２から容器本体２０および吐出器３０をケース１１に挿入することで、容器本体２０および吐出器３０を交換することができる。
【００５９】
また、本実施形態によれば、非使用状態において吐出器３０をケース１１内に埋没できるため、吐出容器１０を非使用状態としておくことにより、吐出器３０の頭部３６が不意に押されて内容物が吐出されることを抑制できる。
また、本実施形態によれば、非使用状態において、吐出器３０の頭部３６における周壁部３６ｅの下端部は、突出円環部７２の径方向内側の端部における上面に接触している。そのため、非使用状態において頭部３６を下方に押し込もうとしても、頭部３６およびステム３５が下方に移動することを抑制できる。これにより、非使用状態において内容物が吐出されることをより抑制できる。
【００６０】
また、本実施形態によれば、容器本体２０の底部２２と内筒４０の底部４４との上下方向の間には、隙間が設けられている。そのため、非使用状態において頭部３６が押されて頭部３６およびステム３５が下方に移動した場合であっても、容器本体２０自体も当該隙間分だけ下方に移動させることができる。これにより、容器本体２０に対するステム３５の下方への相対移動を抑制することができ、内容物が吐出されることを抑制することができる。
【００６１】
また、本実施形態によれば、内筒４０に装着される環状部材６０には、回転筒５０に接触する接触部６３が設けられている。そのため、内筒４０が回転筒５０に対して上下方向に移動する際に、接触部６３が回転筒５０の内周面に擦れる。これにより、下カバー８１を介して回転筒５０を回転させる使用者には、適度な摺動抵抗が伝わる。したがって、吐出容器１０の非使用状態と使用状態とを切り替える際の操作において、使用者に高級感を与えることができる。
【００６２】
また、本実施形態によれば、回転筒５０の回転に伴って凸部７４が凹部４６内を相対移動することにより、内筒４０は、外筒７０に対して上下方向に相対移動する。そのため、回転筒５０を回転させることで、容易に内筒４０を上下方向に相対移動させることができる。したがって、吐出容器１０の状態の切り替えが容易である。
【００６３】
また、本実施形態によれば、凹部４６は、溝底面を有する溝であり、内筒４０の外周面に設けられている。そのため、凹部４６が内筒４０の壁部を貫通するような場合に比べて、内筒４０の強度が低下することを抑制できる。これにより、吐出容器１０の非使用状態と使用状態とを切り替える際に、内筒４０および凹部４６が歪むことを抑制でき、凸部７４を凹部４６に沿って滑らかに相対移動させることができる。したがって、吐出容器１０の状態を滑らかに切り替えやすい。
【００６４】
また、本実施形態によれば、凹部４６における第１端部４６ｂと凹部本体４６ａとの連結部分の内側面には、突起部４７が形成されている。そのため、使用者が吐出容器１０を使用状態から非使用状態にする場合において、凸部７４は、突起部４７を乗り越えることで、凹部本体４６ａから第１端部４６ｂに移動する。これにより、吐出容器１０を非使用状態にした際に、使用者には、凸部７４が突起部４７を乗り越えることによるクリック感が伝達される。したがって、使用者は、吐出容器１０が非使用状態になったことを触感から認識することができ、吐出容器１０が非使用状態になったことを認識しやすい。また、非使用状態から使用状態へと切り替える際には、凸部７４が突起部４７を乗り越える必要がある。そのため、凸部７４が突起部４７に引っ掛かり、使用者による回転操作によらず不意に回転筒５０が回転することを抑制することができる。これにより、意図せず吐出容器１０が使用状態となることを抑制でき、不意な内容物の吐出を抑制できる。
【００６５】
また、本実施形態によれば、環状部材６０の材質は、ゴム等のエラストマーである。そのため、環状部材６０は、ゴム弾性を有しており、弾性限界が比較的大きい。これにより、容器本体２０がケース１１に挿入されて保持部６２が圧縮弾性変形した後に、保持部６２が復元変形しなくなることを抑制できる。したがって、保持部６２によって容器本体２０に好適に弾性力を与えることができ、容器本体２０を好適に保持できる。また、容器本体２０の外径にバラつきが生じるような場合であっても、バラつきを保持部６２の弾性変形によって好適に吸収しつつ、容器本体２０を好適に保持することができる。なお、容器本体２０の材質がガラスであるような場合に、容器本体２０の外径は特にバラつきやすい。そのため、容器本体２０の材質がガラスであるような場合に、環状部材６０の材質をゴム等のエラストマーとする効果をより有用に得られる。
【００６６】
また、本実施形態によれば、容器本体２０がケース１１によって覆われているため、容器本体２０が外部に露出しない。そのため、吐出容器１０の高級感を向上させることができる。
【００６７】
＜第２実施形態＞
本実施形態は、第１実施形態に対して、保持部の形状が異なる。なお、上述した実施形態と同様の構成については、適宜同一の符号を付す等により説明を省略する場合がある。
図８に示すように、本実施形態の吐出容器１１０のケース１１１は、内筒１４０と、回転筒１５０と、外筒７０と、下カバー８１と、上カバー８２と、を備えている。本実施形態のケース１１１は、第１実施形態と異なり、環状部材６０を備えていない。なお、図８では、吐出容器１１０が非使用状態である場合について示している。
【００６８】
内筒１４０の内筒本体１４１は、小径部１４２と、大径部１４３と、を備えている。
小径部１４２には、図９および図１０に示すように、小径部１４２の壁部を径方向に貫通する貫通孔１４２ａが形成されている。貫通孔１４２ａは、周方向に沿って複数形成されている。本実施形態においては、４つの貫通孔１４２ａが周方向に沿って一周に亘ってほぼ等間隔に形成されている。
【００６９】
周方向に隣り合う貫通孔１４２ａ同士の間の部分のうち径方向に対向する一対の柱部１４２ｂのそれぞれからは、一対の腕部１４７が周方向両側に突出している。一対の腕部１４７は、柱部１４２ｂの周方向両側に隣り合う貫通孔１４２ａに向けて突出している。腕部１４７は、柱部１４２ｂの上下方向の中央部から周方向両側に突出している。各腕部１４７の先端部には、径方向内側に突出する保持部１４８が設けられている。保持部１４８は、容器本体２０の外周面に接触している。本実施形態においては、例えば、腕部１４７が径方向外側に弾性変形することで、保持部１４８は、容器本体２０に径方向内側向きの弾性力を加えている。これにより、保持部１４８は、容器本体２０を保持している。
【００７０】
大径部１４３は、図９に示すように、第１実施形態の大径部４３に比べて、上下方向の寸法が大きい。本実施形態において大径部１４３の上下方向の寸法は、小径部１４２の上下方向の寸法よりも大きい。大径部１４３の上側部分には、凹部４６が形成されている。大径部１４３の下側部分の外周面には、上下方向に延びる溝１４３ａが形成されている。溝１４３ａは、大径部１４３の外周面のうち凹部４６よりも下方に位置する部分から大径部１４３の下端部まで直線状に延びている。図１１に示すように、溝１４３ａは、容器軸Ｏを挟んで一対形成されている。
【００７１】
回転筒１５０は、図８に示すように、上下方向両側に開口し、容器軸Ｏと同軸に配置された円筒状である。回転筒１５０は、第１実施形態の回転筒５０と異なり、底部を有していない。回転筒本体５１の内周面には、径方向内側に突出する嵌合リブ１５４が形成されている。嵌合リブ１５４は、回転筒本体５１における上下方向の略中央部分に形成されている。嵌合リブ１５４は、溝１４３ａに嵌合されている。これにより、回転筒１５０と内筒１４０とは、互いに相対回転が規制されている。図１１に示すように、嵌合リブ１５４は、容器軸Ｏを挟んで一対設けられている。一対の嵌合リブ１５４は、一対の溝１４３ａにそれぞれ嵌合されている。
【００７２】
本実施形態においても、容器本体２０および吐出器３０は、ケース１１１に対して挿抜可能であり、容器本体２０の着脱が容易である。そのため、第１実施形態と同様に、容器本体２０内の内容物を使い切った後に、容器本体２０をケース１１１から外して、内容物が充填された新たな容器本体２０と入れ替える、または容器本体２０に内容物を再充填することが容易である。本実施形態では、例えば、リフィル１００と交換するのではなく、容器本体２０をケース１１１から取り出した後に、容器本体２０から吐出器３０を外して、容器本体２０内に再度内容物を充填する。
本実施形態のその他の構成は、第１実施形態のその他の構成と同様である。
【００７３】
本実施形態によれば、環状部材６０が設けられず、保持部１４８が内筒１４０に一体成形されている。そのため、吐出容器１１０の部品点数を低減することができ、吐出容器１１０の製造コストを低減できる。
また、本実施形態によれば、容器本体２０に再度内容物を充填するため、同じ容器本体２０を再度利用する。そのため、再びケース１１１内に挿入して配置する容器本体２０の外径が変わらず、保持部１４８による容器本体２０の保持を安定させることができる。これにより、例えば、第１実施形態のように保持部１４８をゴム等のエラストマー製としなくても、容器本体２０を好適に保持しやすい。
【００７４】
なお、上述した第１実施形態および第２実施形態においては、以下の構成を採用することもできる。
上述した第１実施形態および第２実施形態において螺旋状に延びる凹部は、内筒の外周面に形成され、凹部に挿入される凸部は、外筒の内周面に形成される構成としたが、これに限られない。螺旋状に延びる凹部が外筒の内周面に形成され、凹部に挿入される凸部が内筒の外周面に形成される構成であってもよい。また、凹部と凸部との一方が回転筒の内周面に形成され、凹部と凸部との他方が内筒の外周面に形成される構成であってもよい。この場合、回転筒と内筒とは、互いに相対回転可能である。また、凹部は、凹部が設けられた各筒の壁部を径方向に貫通してもよい。
【００７５】
容器本体の外周面に接触する保持部の数は、特に限定されない。保持部の形状は、特に限定されない。例えば、保持部は、環状であってもよい。
吐出器は、ステムを下方に移動させることによって内容物が吐出孔から吐出される構成であるならば、特に限定されない。吐出器は、蓄圧式以外の方式の吐出器であってもよい。ステムは、上方付勢状態で下方移動可能であり、かつ、下方に移動されることにより、吐出孔から内容物を吐出させることが可能であるならば、どのような構造であってもよい。
上述した第１実施形態においても、第２実施形態と同様に、取り外した容器本体２０に内容物を再充填してもよい。また、第２実施形態においても、第１実施形態と同様に、取り外した容器本体２０および吐出器３０をリフィル１００と交換してもよい。
なお、本明細書において説明した各構成は、相互に矛盾しない範囲内において、適宜組み合わせることができる。
【符号の説明】
【００７６】
１０，１１０…吐出容器、１１，１１１…ケース、２０…容器本体、２４…口部、３０…吐出器、３５…ステム、３７ａ…吐出孔、４０，１４０…内筒、４２ａ…スリット（貫通部）、４６…凹部、４６ａ…凹部本体、４６ｂ…第１端部、４６ｃ…第２端部、４７…突起部、５０，１５０…回転筒、６０…環状部材、６１…環状部材本体、６２，１４８…保持部、６３…接触部、７０…外筒、７４…凸部、１４２ａ…貫通孔、１４２ｂ…柱部、１４７…腕部、Ｏ…容器軸
【図１】
2020019518.tif 000003
【図２】
2020019518.tif 000004
【図３】
2020019518.tif 000005
【図４】
2020019518.tif 000006
【図５】
2020019518.tif 000007
【図６】
2020019518.tif 000008
【図７】
2020019518.tif 000009
【図８】
2020019518.tif 000010
【図９】
2020019518.tif 000011
【図１０】
2020019518.tif 000012
【図１１】
2020019518.tif 000013